(57)【要約】【課題】清浄体に付与される香料や清浄剤の無駄な揮散を防止し、必要なときにフレッシュな香りや清浄作用を提供すること。【解決手段】清浄体ホルダ２０に取付けられる剤転写器１０であって、剤を収容する容器１２と、容器１２の内部から外部の閉鎖空間１６に渡って、延在する剤含浸部材１３と、剤含浸部材１３に接するとともに、清浄体２１の取出し経路に接して回転自在に配置される転写ローラ１４とを有し、転写ローラ１４が清浄体２１の取出し動作に連れ回るときに、容器１２の内部の剤を剤含浸部材１３により転写ローラ１４に供給し、この剤を転写ローラ１４から清浄体２１に転写可能にするもの。【選択図】  図３
2004230076.tif 000002
【特許請求の範囲】
【請求項１】
清浄体ホルダに取付けられる剤転写器であって、
剤を収容する容器と、
容器の内部から外部の閉鎖空間に渡って延在する剤含浸部材と、
剤含浸部材に接するとともに、清浄体の取出し経路に接して回転自在に配置される転写ローラとを有し、
転写ローラが清浄体の取出し動作に連れ回るときに、容器の内部の剤を剤含浸部材により転写ローラに供給し、この剤を転写ローラから清浄体に転写可能にする剤転写器。
【請求項２】
前記剤が香料及び／又は清浄剤である請求項１に記載の剤転写器。
【請求項３】
前記清浄体ホルダがトイレットペーパーホルダであり、前記容器にトイレットペーパーホルダへの取付具を設けてなる請求項１又は２に記載の剤転写器。
【発明の詳細な説明】
【０００１】
【発明の属する技術分野】
本発明は剤転写器に関する。
【０００２】
【従来の技術】
特許文献１に記載の如く、トイレットペーパー用紙管の内側中空円筒の外面と外側中空円筒の内面との間に香料を介在させ、外側中空円筒又は内側中空円筒に穿孔した芳香装置がある。
【０００３】
【特許文献１】
特開２０００−９３３４４（［０００７］、図２）
【０００４】
【発明が解決しようとする課題】
特許文献１の芳香装置では、紙管内の香料は経時的に常に孔から揮散し続け、その揮散量は使用経過とともに低下する。従って、使用当初は強い香りを出し続け、その後次第に弱くなる。即ち、香料の揮散を必要としないときに無駄に揮散し、必要とするときにフレッシュな香りを出せない。
【０００５】
また、清浄剤を予め含浸させた清浄シートでは、清浄剤が使用前の保管段階から常時揮散するため、清浄剤中の清浄成分のうちで揮散し易い成分が先に揮散してしまい、清浄成分が経時的に変化し、フレッシュな清浄作用を期待できない虞がある。
【０００６】
本発明の課題は、清浄体に付与される香料や清浄剤の無駄な揮散を防止し、必要なときにフレッシュな香りや清浄作用を提供することにある。
【０００７】
【課題を解決するための手段】
請求項１の発明は、清浄体ホルダに取付けられる剤転写器であって、剤を収容する容器と、容器の内部から外部の閉鎖空間に渡って延在する剤含浸部材と、剤含浸部材に接するとともに、清浄体の取出し経路に接して回転自在に配置される転写ローラとを有し、転写ローラが清浄体の取出し動作に連れ回るときに、容器の内部の剤を剤含浸部材により転写ローラに供給し、この剤を転写ローラから清浄体に転写可能にするようにしたものである。
【０００８】
【発明の実施の形態】
（第１実施形態）（図１〜図３）
剤転写器１０は、図１に示す如く、トイレットペーパーホルダ２０に取付けられる。トイレットペーパーホルダ２０は、巻取りロール状トイレットペーパー２１の紙管２２を着脱可能に支持する左右のアーム２３を備えるとともに、トイレットペーパー２１の取出し経路を覆うカバー２４を有し、このカバー２４に剤転写器１０を取付ける。
【０００９】
剤転写器１０は、図２、図３に示す如く、ケース１１の容器取付部１１Ａに容器１２を着脱可能に螺着し、ケース１１のスリット１１Ｂに剤含浸部材１３を挟着し、ケース１１の両側壁部１１Ｃに転写ローラ１４を回転自在かつ着脱可能に凹凸嵌合している。転写ローラ１４はスリット１１Ｂに挟着されてケース１１の外面側に臨む剤含浸部材１３の軸方向の全長に沿う直下に該剤含浸部材１３と接するように平行配置される。
【００１０】
容器１２は香料付清浄剤Ｌを収容し、中蓋１５を開口部１２Ａに着脱可能に嵌合する。剤転写器１０は、ケース１１のスリット１１Ｂ及び転写ローラ１４を備える部分を容器１２の下側に間隙を介するように設け、この間隙にトイレットペーパーホルダ２０のカバー２４を挿着するようにカバー２４に取付けられ、容器１２をカバー２４の上に載せて横置き配置する。ケース１１と容器１２は、該容器１２のトイレットペーパーホルダ２０のカバー２４への取付具を構成する。
【００１１】
剤含浸部材１３はフェルト芯、不織布芯等の可撓棒状体からなり、一端側を容器１２の内部の香料付清浄剤Ｌ中に浸漬させ、中蓋１５の中央孔から外部に出た他端側をケース１１の閉鎖空間１６に延在させる。ケース１１は、容器取付部１１Ａから剤含浸部材１３の挟着のためのスリット１１Ｂまでの内面により１次閉鎖空間１６Ａを区画し、剤含浸部材１３の挟着のためのスリット１１Ｂを挟む両側の湾曲状外面が転写ローラ１４の円筒面に対してなす微小間隙を２次閉鎖空間１６Ｂとする。２次閉鎖空間１６Ｂはその外部空間に対して閉塞状をなし、転写ローラ１４の静止時には空気の流れを停滞させる空間であり、剤含浸部材１３から香料付清浄剤Ｌを放散させない点で、実質的に閉鎖空間を構成する。１次閉鎖空間１６Ａと２次閉鎖空間１６Ｂが閉鎖空間１６を形成する。
【００１２】
剤含浸部材１３は、ケース１１の閉鎖空間１６において、その他端側をケース１１のスリット１１Ｂの全域に詰め込まれる。剤含浸部材１３は容器１２の内部の香料付清浄剤Ｌを毛細管現象によりこの他端側まで移送する。
【００１３】
転写ローラ１４は、ケース１１の２次閉鎖空間１６Ｂの側で剤含浸部材１３に圧接するとともに、剤含浸部材１３に対する直径方向の反対側で、トイレットペーパー２１の取出し経路に接して回転自在に配置される。トイレットペーパー２１が取出しのために引き出されるとき、トイレットペーパー２１に接する転写ローラ１４が連れ回るものになる。転写ローラ１４は、ポリプロピレン等のプラスチック表面に梨地のしぼ目入りされ、香料付清浄剤Ｌを保持し易くする。
【００１４】
これにより、剤転写器１０にあっては、転写ローラ１４がトイレットペーパー２１の取出し動作に連れ回るときに、容器１２の内部の香料付清浄剤Ｌを剤含浸部材１３により転写ローラ１４に供給し、この香料付清浄剤Ｌを転写ローラ１４からトイレットペーパー２１に転写する。
【００１５】
本実施形態によれば、以下の作用効果がある。
▲１▼トイレットペーパー２１の使用時に、トイレットペーパー２１の取出しによって転写ローラ１４が連れ回ると、剤含浸部材１３に含浸している香料付清浄剤Ｌが転写ローラ１４の回転面に塗布され、この剤が転写ローラ１４からトイレットペーパー２１に転写される。トイレットペーパー２１に転写した香料は、ペーパー２１の取出しに伴なってペーパー２１の周囲に生ずる気流に乗り、ペーパー２１の広い面からトイレ室に揮散する。トイレットペーパー２１に転写した清浄剤は、ペーパー２１によるお尻等の清浄化に寄与する。
【００１６】
トイレットペーパー２１の非使用時には、転写ローラ１４は静止していて剤含浸部材１３から転写ローラ１４への剤の移動がないし、剤含浸部材１３は閉鎖空間１６に閉じ込められているから、容器１２の内部の剤Ｌが剤含浸部材１３等を介して外部空間に揮散することは抑制される。
【００１７】
従って、トイレットペーパー２１に付与される香料や清浄剤の無駄な揮散を防止し、必要なときにフレッシュな香りや清浄作用を提供することができる。
【００１８】
▲２▼剤含浸部材１３が閉鎖空間１６に閉じ込められ、剤含浸部材１３を外気から遮蔽しているので、剤含浸部材１３は常に湿った状態になっており、このため、剤が揮散するときに残留物を剤含浸部材１３に残すことがない。剤は、転写ローラ１４に転写され、更にトイレットペーパー２１に転写されてトイレットペーパー２１から揮散する。このとき、トイレットペーパー２１は使われて常に更新されるため、剤を構成する香料の残留物の残存によって香りの質が変わったり、香りが出にくくなる如くがなく、フレッシュな香りを提供することができる。
【００１９】
▲３▼剤転写器１０は、トイレットペーパーホルダ２０のカバー２４に簡易に着脱され、転写ローラ１４をトイレットペーパー２１の取出し経路に臨ませ、取出しのために引出されるトイレットペーパー２１に荷重を付与し、トイレットペーパー２１の取出しに確実に連れ回り可能にする。
【００２０】
（第２実施形態）（図４、図５）
剤転写器３０は、図４に示す如く、第１実施形態におけると同一のトイレットペーパーホルダ２０のカバー２４に取付けられる。
【００２１】
剤転写器３０は、図５に示す如く、カバー２４の裏側に容器３１を配置し、容器３１の取付具としてのベルト３２によりこの容器３１をカバー２４に着脱可能に固定する。容器３１は香料付清浄剤Ｌを収容する。
【００２２】
容器３１は、開口部３１Ａに螺着されるキャップ３３により、吸上げ芯３４が貫通する内蓋３５を挟着する。同時に、容器３１は、キャップ３３により、ケース３６を保持する。
【００２３】
ケース３６は有底箱状をなし、天面はトイレットペーパーホルダ２０のカバー２４で閉塞され（ケース３６は天面に着脱できる蓋を有しても可）、容器取付部３６Ａに容器３１の開口部３１Ａを挿着され、剤含浸部材３７を嵌着し得る下向き凹条部３６Ｂを備え、両側壁部３６Ｃに転写ローラ３８を回転自在かつ着脱可能に凹凸嵌合している。転写ローラ３８は、下向き凹条部３６Ｂに嵌着されてケース３６の外面に臨む剤含浸部材３７の、軸方向の全長に沿う直下に剤含浸部材３７と接するように平行配置される。
【００２４】
吸上げ芯３４及び剤含浸部材３７はフェルト芯、不織布芯等の可撓棒状体からなる。吸上げ芯３４は一端側を容器３１の内部の香料付清浄剤Ｌ中に浸漬し、内蓋３５の中央孔から外部に出た他端側をケース３６の閉鎖空間３９に延在させ、その延在端を下向き凹条部３６Ｂの長手方向中央の切欠孔３６Ｄに通して剤含浸部材３７に突き当てられる。ケース３６は、容器取付部３６Ａから剤含浸部材３７の嵌着のための下向き凹条部３６Ｂ（切欠孔３６Ｄ）までの内面とトイレットペーパーホルダ２０のカバー２４により１次閉鎖空間３９Ａを区画し、剤含浸部材３７の嵌着のための下向き凹条部３６Ｂを挟む両側の湾曲状外面が転写ローラ３８の円筒面に対してなす微小間隙を２次閉鎖空間３９Ｂとする。２次閉鎖空間３９Ｂはその外部空間に対して閉塞状をなし、転写ローラ３８の静止時には空気の流れを停滞させる空間であり、剤含浸部材３７から香料付清浄剤を放散させない点で、実質的に閉鎖空間を構成する。１次閉鎖空間３９Ａと２次閉鎖空間３９Ｂが閉鎖空間３９を形成する。
【００２５】
剤含浸部材３７は、ケース３６の閉鎖空間３９において、ケース３６の下向き凹条部３６Ｂの全域に詰め込まれる。吸上げ芯３４は容器３１の内部の香料付清浄剤Ｌを毛細管現象により剤含浸部材３７に移送する。
【００２６】
転写ローラ３８は、ケース３６の２次閉鎖空間３９Ｂの側で剤含浸部材３７に圧接するとともに、剤含浸部材３７に対する直径方向の反対側で、トイレットペーパー２１の取出し経路に接して回転自在に配置される。トイレットペーパー２１が取出しのために引き出されるとき、トイレットペーパー２１に接する転写ローラ３８が連れ回るものになる。転写ローラ３８は、ポリプロピレン等のプラスチック表面に梨地のしぼ目入りされ、香料付清浄剤Ｌを保持し易くする。
【００２７】
これにより、剤転写器３０にあっては、転写ローラ３８がトイレットペーパー２１の取出し動作に連れ回るときに、容器３１の内部の香料付清浄剤Ｌを吸上げ芯３４、剤含浸部材３７により転写ローラ３８に供給し、この香料付清浄剤Ｌを転写ローラ３８からトイレットペーパー２１に転写する。
【００２８】
本実施形態によれば、以下の作用効果がある。
▲１▼トイレットペーパー２１の使用時に、トイレットペーパー２１の取出しによって転写ローラ３８が連れ回ると、剤含浸部材３７に含浸している香料付清浄剤Ｌが転写ローラ３８の回転面に塗布され、この剤が転写ローラ３８からトイレットペーパー２１に転写される。トイレットペーパー２１に転写した香料は、ペーパー２１の取出しに伴なってペーパー２１の周囲に生ずる気流に乗り、ペーパー２１の広い面からトイレ室に揮散する。トイレットペーパー２１に転写した清浄剤は、ペーパー２１によるお尻等の清浄化に寄与する。
【００２９】
トイレットペーパー２１の非使用時には、転写ローラ３８は静止していて剤含浸部材３７から転写ローラ３８への剤の移動がないし、剤含浸部材３７は閉鎖空間３９に閉じ込められているから、容器３１の内部の剤が吸上げ芯３４、剤含浸部材３７等を介して外部空間に揮散することは抑制される。
【００３０】
従って、トイレットペーパー２１に付与される香料や清浄剤の無駄な揮散を防止し、必要なときにフレッシュな香りや清浄作用を提供することができる。
【００３１】
▲２▼剤含浸部材３７が閉鎖空間３９に閉じ込められ、剤含浸部材３７を外気から遮蔽しているので、剤含浸部材３７は常に湿った状態になり、このため、剤が揮散するときに残留物を剤含浸部材３７に残すことがない。剤は、転写ローラ３８に転写され、更にトイレットペーパー２１に転写されてトイレットペーパー２１から揮散する。このとき、トイレットペーパー２１は使われて常に更新されるため、剤を構成する香料の残留物の残存によって香りの質が変わったり、香りが出にくくなる如くがなく、フレッシュな香りを提供することができる。
【００３２】
▲３▼剤転写器３０は、トイレットペーパーホルダ２０のカバー２４に簡易に着脱され、転写ローラ３８をトイレットペーパー２１の取出し経路に臨ませ、取出しのために引き出されるトイレットペーパー２１に荷重を付与し、トイレットペーパー２１の取出しに確実に連れ回り可能にする。
【００３３】
▲４▼剤転写器３０は、トイレットペーパーホルダ２０のカバー２４の裏側に隠れる。
【００３４】
尚、本発明において、剤転写器が清浄体に転写する剤は、香料だけでも良く、又は清浄剤だけでも良い。清浄体は、ロール状ペーパーに限らず、枚葉状ペーパーでも良く、布でも良い。
【００３５】
【発明の効果】
本発明によれば、清浄体に付与される香料や清浄剤の無駄な揮散を防止し、必要なときにフレッシュな香りや清浄作用を提供することができる。
【図面の簡単な説明】
【図１】図１は第１実施形態の剤転写器を示す斜視図である。
【図２】図２は図１の断面図である。
【図３】図３は図２のＩＩＩ−ＩＩＩ線に沿う断面図である。
【図４】図４は第２実施形態の剤転写器を示す側面図である。
【図５】図５は剤転写器の分解斜視図である。
【符号の説明】
１０、３０  剤転写器
１１  ケース（取付具）
１２、３１  容器
１３、３７  剤含浸部材
１４、３８  転写ローラ
１６、３９  閉鎖空間
２０  トイレットペーパーホルダ（清浄体ホルダ）
２１  トイレットペーパー（清浄体）
２４  カバー
３２  ベルト（取付具）
【図１】
2004230076.tif 000003
【図２】
2004230076.tif 000004
【図３】
2004230076.tif 000005
【図４】
2004230076.tif 000006
【図５】
2004230076.tif 000007